(57)【要約】【課題】  止め金具や粘着テープ等を用いることなく容易に組み立て及び分解をすることができる組立式箱の提供。【解決手段】  底板３０１、前側板３０６、背側板３０７、左側板３０８、右側板３０９、前左側板間連結板３１０、前右側板間連結板３１１と、背側板３０７と折り目を介して一体に形成された蓋板３１５を備え、前側板３０６は、前外側板３１６、前上縁板３１７、前内側板３１８とをもって構成され、前内側板３１８に逃がし片部３２４，３２４を備え、前左側板間連結板３１０及び前右側板間連結板３１１は、固定部３５２と可動部３５３とからなり、固定部３５２を前外側板３１６の内面に重ね合わせて貼着し、左側板３０８及び右側板３０９をそれぞれ底板３０１に重ねて折り畳んだ状態で全体形状を平板状となし、各側板を底板に対して立ち上げ、箱状に組み立てられるようにした。【選択図】  図２
2005145525.tif 000002
【特許請求の範囲】
【請求項１】
平板状の底板と、該底板の周縁に折り目を介して一体に形成された前側板、背側板、左側板及び右側板と、前側板と左側板の各側辺間を連結する前左側板間連結板と、前側板と右側板の各側辺間を連結する前右側板間連結板と、前記背側板の前記底板とは反対側の縁部に折り目を介して一体に形成された蓋板とを備え、
前記前側板に、前記底板と折り目を介して連続された前外側板と、その底板とは反対側の縁部に一定幅を有する前上縁板を介して一体に形成された前内側板とをもって構成され、前記前上縁板の両縁部を折り目として折り曲げることにより前記前内側板を前外側板に重ねるとともに、前記前内側板の両側縁起端側より先端縁側に斜めに向けた折り目を形成して該折り目より折り畳まれる逃がし片部を備え、
前記前左側板間連結板及び前右側板間連結板は、前記底板の隅より斜めに向けて折り目を介して固定部と可動部とを備え、前記固定部を前記前外側板の内面に重ね合わせて貼着し、
前記左側板及び右側板をそれぞれ前記底板に重ねて折り畳んだ状態で全体形状を平板状となし、各側板を前記底板に対して立ち上げ、前記前内側板の側縁部を左側板及び右側板の内面に係合させて箱状に組み立てられるようにしたことを特徴としてなる組立式箱。
【請求項２】
左側板及び右側板は、それぞれ底板と折り目を介して連続された外側板と、その底板とは反対側の縁部に一定幅を有する上縁板を介して一体に形成された内側板とをもって構成された請求項１に記載の組立式箱。
【請求項３】
左側板及び右側板は、背側板側縁部に折り目を介してそれぞれ一体に形成された補強板を備え、該両補強板の前記折り目とは反対側の端部が互いに係合される請求項１又は２に記載の組立式箱。
【請求項４】
両補強板は、その互いに係合される側の端部に切れ目を備え、該切れ目を互いに噛み合わせることにより、両補強板を互いに係合させる請求項３に記載の組立式箱。
【請求項５】
両補強板は、一方の補強板の係合される側の端部にスリット状の補強板係止孔を備え、他方の補強板の係合される側の端部に前記補強板係止孔に挿入され係止される補強板係止片を一体に備えた請求項３に記載の組立式箱。
【請求項６】
背側板と左側板の各側辺間を連結する背左側板間連結板と、背側板と右側板の各側辺間を連結する背右側板間連結板とを備えた請求項１〜４又は５に記載の組立式箱。
【発明の詳細な説明】
【技術分野】
【０００１】
本発明は、主に青果や花等の梱包に用いられる大型の組立式箱に関する。
【背景技術】
【０００２】
従来、切花等の梱包には、図６に示す如き細長状の組立式箱が使用されている。
【０００３】
この組立式箱は、図７に示す展開図のように紙板材を打ち抜き、それを組み立てることにより形成され、左側板１、前側板２、右側板３及び背側板４が折り目を介してそれぞれ連続して形成され、その各側板１，２，３，４の上縁及び下縁に折り目を介してフラップ板５，６，７，８が一体に形成されている。
【０００４】
そして、左側板１と背側板４の各側辺部同士を連結するとともにフラップ板５，６又はフラップ板７，８を重ねあわせることにより底部又は天板を形成し、細長状の箱に形成するようになっている。
【特許文献１】特開２００２−２８４１３８
【発明の開示】
【発明が解決しようとする課題】
【０００５】
しかし、上述の図６、図７に示す組立式箱では、箱を組立てる際、各側板間の連結部、天板及び底部を構成するフラップ間の突合せ部分を粘着テープ若しくはステープルでもって止めて固定する為、特に、水気の多い野菜や花等の収容物を包装する場合、或いは大型で強度を要する箱を使用する場合には粘着テープでは強度的に不安があるので主にステープルを用いて各側板間の連結部分及び天板及び底部を構成するフラップ間の突合せ部分を止めて固定する為、その作業に手数がかかり、組立て作業に多くの時間と労働力が必要となり最終的にコストが嵩むという問題があった。
【０００６】
更に、包装作業の途中で時折ステープルが飛び跳ねて箱の中に混入することがあり、そのことにより箱中の野菜等の収容物を傷つけたり、食品衛生上の問題になったりしている。
【０００７】
また、各側板が単板で構成されているため強度が弱く、輸送途中や保管中に箱を多段積みにすると潰れ易く、破損し易いという問題がある。
【０００８】
更に、この組立式箱を使用した後、消費者及び販売店が箱をリサイクル処分にする場合、箱が壊し難く解体作業が容易でなく、解体や分別処理において、ステープルを取り外したり、粘着テープを剥がしたりする作業を行わなければならず余計な手間がかかっていた。
【０００９】
そこで本発明は、上述の従来技術の問題を鑑み、ステープルや粘着テープ等を用いずに、手間がかからず簡単に箱の組立てができ、また容易に解体処理することができ、輸送上及び保管上において十分に収容物を保護し、且つリサイクルし易い組立式箱の提供を目的とする。
【課題を解決するための手段】
【００１０】
上述の如き従来の問題を解決し、所期の目的を達成するための請求項１に記載の発明は、平板状の底板と、該底板の周縁に折り目を介して一体に形成された前側板、背側板、左側板及び右側板と、前側板と左側板の各側辺間を連結する前左側板間連結板と、前側板と右側板の各側辺間を連結する前右側板間連結板と、前記背側板の前記底板とは反対側の縁部に折り目を介して一体に形成された蓋板とを備え、
前記前側板に、前記底板と折り目を介して連続された前外側板と、その底板とは反対側の縁部に一定幅を有する前上縁板を介して一体に形成された前内側板とをもって構成され、前記前上縁板の両縁部を折り目として折り曲げることにより前記前内側板を前外側板に重ねるとともに、前記前内側板の両側縁起端側より先端縁側に斜めに向けた折り目を形成して該折り目より折り畳まれる逃がし片部を備え、
前記前左側板間連結板及び前右側板間連結板は、前記底板の隅より斜めに向けて折り目を介して固定部と可動部とを備え、前記固定部を前記前外側板の内面に重ね合わせて貼着し、
前記左側板及び右側板をそれぞれ前記底板に重ねて折り畳んだ状態で全体形状を平板状となし、各側板を前記底板に対して立ち上げ、前記前内側板の側縁部を左側板及び右側板の内面に係合させて箱状に組み立てられるようにした組立式箱であることを特徴する。
【００１１】
請求項２に記載の発明は、請求項１の構成に加え、左側板及び右側板は、それぞれ底板と折り目を介して連続された外側板と、その底板とは反対側の縁部に一定幅を有する上縁板を介して一体に形成された内側板とをもって構成されたことを特徴とする。
【００１２】
請求項３に記載の発明は、請求項１又は２の構成に加え、左側板及び右側板は、背側板側縁部に折り目を介してそれぞれ一体に形成された補強板を備え、該両補強板の前記折り目とは反対側の端部が互いに係合されることを特徴とする。
【００１３】
請求項４に記載の発明は、請求項３の構成に加え、両補強板は、その互いに係合される側の端部に切れ目を備え、該切れ目を互いに噛み合わせることにより、両補強板を互いに係合させることを特徴とする。
【００１４】
請求項５に記載の発明は、請求項３の構成に加え、両補強板は、一方の補強板の係合される側の端部にスリット状の補強板係止孔を備え、他方の補強板の係合される側の端部に前記補強板係止孔に挿入され係止される補強板係止片を一体に備えたことを特徴とする。
【００１５】
請求項６に記載の発明は、請求項１〜４又は５の構成に加え、背側板と左側板の各側辺間を連結する背左側板間連結板と、背側板と右側板の各側辺間を連結する背右側板間連結板とを備えたことを特徴とする。
【発明の効果】
【００１６】
本発明に係る組立式箱は、簡単に短時間で箱の組立て及び分解を行うことができ、作業効率が向上し、コストが削減される。
【００１７】
また、ステープルや粘着テープ等を一切使用しないので、箱の組立て作業上の煩わしさから解放され、更にステープルによって内容物の野菜や生花等を傷つけたり、箱内にステープルが混入したりすることがなく、食品衛生上の安全性が格段に向上し、一方、箱をリサイクルする際に分別等の手間が省けリサイクルし易くなっている。
【００１８】
更に、強度の点において、前側板、左側板及び右側板をそれぞれ内側板と外側板とからなる二重構造とし、組立てた際に背側板の内側に補強板を配置したことによって、この組立式箱の四側面はそれぞれ二重構造となり、圧縮強度、耐衝撃性が倍化強化され、輸送上又は保管上の安全性が向上する。
【００１９】
更に、店頭等において蓋を開いて中身を展示するような場合においても、前側板、左側板及び右側板の各上縁板が箱の額縁となって見栄えがよく、背側板及び蓋板が水平位置まで倒れ、水平に倒した背側板及び蓋板の上に他の箱を次々と重ねて配置することができるので、多くの箱を綺麗に見栄え良く店頭に陳列することができる。
【発明を実施するための最良の形態】
【００２０】
次に、本発明に係る組立式箱の他の実施例に関し、図１〜図５について説明する。
【００２１】
組立式箱３００は、段ボール紙又はボール紙等からなる板状材を図３に示す展開図のように打ち抜き、それを折曲加工することにより形成されている。
【００２２】
この組立式箱３００は、底板３０１と、底板３０１の前背左右の各縁部にそれぞれ折り目３０２〜３０５を介して一体に形成された前側板３０６、背側板３０７、左側板３０８及び右側板３０９と、前側板３０６と左側板３０８の各側辺間を連結する前左側板間連結板３１０と、前側板３０６と右側板３０９の各側辺間を連結する前右側板間連結板３１１と、背側板３０７と左側板３０８の各側辺間を連結する背左側板間連結板３１２と、背側板３０７と右側板３０９の各側辺間を連結する背右側板間連結板３１３とを備えている。
【００２３】
また、この組立式箱３００は、背側板３０７の折り目３０３とは反対側の縁部に折り目３１４を介して一体に蓋板３１５を備えている。
【００２４】
底板３０１は、左右方向に長い長方形に形成されている。
【００２５】
前側板３０６は、底板３０１と折り目３０２を介して連続した前外側板３１６と、その折り目３０２とは反対側の縁部に前上縁板３１７を介して一体に形成された前内側板３１８とをもって構成され、前上縁板３１７の両縁部を折り目として折り曲げることにより、前内側板３１８を前外側板３１６に重ね合わせ、前内側板３１８の前上縁板３１７とは反対側の縁部に形成された接着片３１９を前外側板３１６の内側面に接着剤により固着させている。
【００２６】
接着片３１９は、前内側板３１８の前上縁板３１７と反対側の縁部に切れ目３２０，３２０を入れるとともに、縁部と平行に折り目３２１，３２２を設けることにより形成され、折り目３２１，３２２で折り曲げ、折り目３２２を境に縁部側のみを接着剤により前外側板３１６の内側面に固着させる。このようにすることによって、前上縁板３１７の幅が広くとも、無理なく前内側板３１８を前外側板３１６に接合することができる。
【００２７】
また、前内側板３１８には、その両側縁基端側より先端縁側に斜めに向けた折り目３２３，３２３を形成して折り目３２３より折り畳まれる逃がし片部３２４，３２４を備えている。
【００２８】
逃がし片部３２４の側縁、即ち前内側板３１８の両側縁には、左側板及び右側板の縁部に形成された係止凹部３２５に係合する側縁係止突起３２６が形成されている。
【００２９】
前上縁板３１７は、一定幅を有する細長板状に形成され、前側板３０６の上縁部を構成している。
【００３０】
また、前側板３０６には、上縁部即ち前上縁板３１７にスリット状の抜け止片挿入孔３２７が形成され、その抜け止片挿入孔３２７を跨いでコ字状の切れ目３２８を入れることにより、抜け止片３２９が形成され、この抜け止片３２９が折り目３３０，３３１より折り曲げられるようになっている。
【００３１】
背側板３０７は、底板３０１と折り目３０３を介して連続して形成され、その折り目３０３とは反対側の縁部に折り目３１４を介して蓋板３１５が連続して形成されている。
【００３２】
蓋板３１５は、底板３０１と略同形の平板状に形成され、箱の上面を覆うようになっており、その折り目３１４とは反対側の縁部には、抜け止片挿入孔３２７に挿入される抜け止挿入片３３２が折り目３３３を介して一体に形成されている。
【００３３】
そして、その抜け止挿入片３３２の折り目側縁には、抜け止片３２９の折り目３３１より先の部分が挿入される閂孔３３４が形成されている。
【００３４】
左側板３０８は、底板３０１と折り目３０４を介して連続した左外側板３３５と、その折り目３０４とは反対側の縁部に左上縁板３３６を介して一体に形成される左内側板３３７と、左内側板３３７の左上縁板３３６とは反対側の縁部に連続して形成された糊しろ３３８とをもって構成され、左上縁板３３６の外側板側縁部を折り目として折り曲げることにより、左内側板３３７を左外側板３３５に重ね合わせ、糊しろ３３８を底板３０１の折り目３０４より左上縁板３３６の幅分だけ内側の位置に接着剤により固着させるようになっている。
【００３５】
左内側板３３７の前側縁には、前内側板３１８の側縁に設けられた側縁係止突起３２６が係合されるように係合用の係止凹部３２５が設けられ、また、折り目を介して挟み込み片３３９が一体に形成されている。
【００３６】
一方、左内側板３３７の背側縁には、折り目３４０を介して一体に補強板３４１が形成され、その折り目３４０とは反対側の縁部に下向きの切れ目３４２を有する係合部が形成されている。
【００３７】
右側板３０９は、底板３０１と折り目３０５を介して連続した右外側板３４３と、その折り目３０５とは反対側の縁部に右上縁板３４４を介して一体に形成される右内側板３４５と、右内側板３４５の右上縁板３４４とは反対側の縁部に連続して形成された糊しろ３４６とをもって構成され、右上縁板３４４の外側板側縁部を折り目として折り曲げることにより、右内側板３４５を右外側板３４３に重ね合わせ、糊しろ３４６を底板３０１の折り目３０５より右上縁板３４４の幅分だけ内側の位置に接着剤により固着させるようになっている。
【００３８】
右内側板３４５の前側縁には、前内側板３１８の側縁に設けられた側縁係止突起３２６が係合されるように係合用の係止凹部３２５が設けられ、また、折り目を介して挟み込み片３４７が一体に形成されている。
【００３９】
一方、右内側板３４５の背側縁には、折り目３４８を介して一体に補強板３４９が形成され、その折り目３４８とは反対側の縁部には上向きの切れ目３５０を有する係合部が形成されている。
【００４０】
両補強板３４１，３４９は、箱を組立てた際に折り目３４０，３４８とは反対側の縁部が互いに突き合わされ、互いに係合部の切れ目３４２，３５０を噛み合わせることにより係合されるようになっている。
【００４１】
前左側板間連結板３１０及び前右側板間連結板３１１は、それぞれ底板の隅より斜めに向けた折り目３５１を介して固定部３５２と可動部３５３とから構成されている。
【００４２】
前左側板間連結板３１０及び前右側板間連結板３１１は、固定部３５２が接着剤をもって前外側板３１６の内面に接着され、組み立てられた際に、各連結板３１０，３１１の固定部３５２と可動部３５３とが重なり合った部分の一部が前内側板３１８により押さえられるようになっている。
【００４３】
背左側板間連結板３１２及び背右側板間連結板３１３は、底板の隅より斜めに向けた折り目３５４を備え、組み立てられた際に、各連結板３１２，３１３が折り目３５４を介して折り畳まれ、背側板３０７と補強板３４１，３４９との間に挟み込まれるようになっている。
【００４４】
次に、上述した組立式箱３００の組立方法について図４、図５を参照して説明する。
【００４５】
まず、図４（ａ）〜（ｂ）に示すように、左内側板３３７を左上縁板３３６の外側板側縁を折り目として折り曲げ、左外側板３３５に重ね合わせ、その位置で糊しろ３３８を底板３０１に貼着させて左側板３０８を形成し、同様に右内側板３４５を右上縁板３４４の外側板側縁を折り目として折り曲げ、右外側板３４３に重ね合わせ、その位置で糊しろ３４６を底板３０１に貼着させて右側板３０９を形成する。
【００４６】
次に、図４（ｂ）〜（ｃ）に示すように、折り目３０４に沿って左側板３０８を内側、即ち底板側に折り曲げ、底板３０１に重ねて折り畳む。そして、そのとき一緒に折られる前左側板間連結板３１０の固定部３５２を前外側板３１６の重なり合った部分に接着剤等によって貼着させる。
【００４７】
同様に、折り目３０５に沿って右側板３０９を内側、即ち底板側に折り曲げ、底板３０１に重ねて折り畳む。そして、そのとき一緒に折られる前右側板間連結板３１１の固定部３５２を前外側板３１６の重なり合った部分に接着剤等によって貼着させる。
【００４８】
このように各連結板３１０，３１１の固定部３５２を前外側板３１６の重なり合った部分に貼着させたことにより、前側板３０６を立ち上げると貼着された連結板３１０，３１１に連動して左側板３０８及び右側板３０９も立ち上がるようになっている。
【００４９】
そして、図４（ｃ）〜（ｄ）に示すように、前内側板３１８を前上縁板３１７の両縁を折り目として折り曲げ、前外側板３１６に重ね合わせ、重なり合った前内側板３１８の接着片３１９を前外側板３１６の内側面に貼着させる。
【００５０】
これで一次組立が終了し、組立中間部材３６０が形成され、この状態で、運搬や保管等を行えば、平板状であるので重ねても嵩張らず効率がよい。
【００５１】
次に、この組立中間部材３６０を図５（ｅ）〜（ｇ）に示すように、前側板３０６を立ち上げると、各連結板３１０，３１１が連動して左側板３０８及び右側板３０９も立ち上がる。このとき逃がし片部３２４，３２４を立ち上げることにより、連結板３１０，３１１が前内側板３１８に邪魔されずに好適に作動する。
【００５２】
そして、図５（ｆ）〜（ｇ）に示すように、前側板３０６、左側板３０８及び右側板３０９を底板３０１に対して立ち上げ、逃がし片部３２４，３２４を元に戻して、前内側板３０６の側縁に形成された側縁係止突起３２６，３２６を左側板３０８及び右側板３０９の係止凹部３２５，３２５に係合させ、連結板３１０，３１１の固定部３５２と可動部３５３とが重なり合った部分を、前外側板３１６と前内側板３１８との間で挟持する。
【００５３】
次に図５（ｇ）〜（ｈ）に示すように、両補強板３４１，３４９を折り目３４０，３４８より内側に折り曲げ、係合部を互いに係合、即ち切れ目３４２，３５０同士をかみ合わせて両補強板３４１，３４９を連結する。この状態で、組立式箱３００が蓋板３１５を開いた状態に形成される。
【００５４】
そして、図５（ｈ）〜（ｉ）に示すように、折り目３０３より背側板３０７を立ち上げ、更に、折り目３１４より蓋板３１５を折り曲げ、縁部の抜け止挿入片３３２を挿入孔３２７に挿入し、抜け止片３２９を折り目３３１より折り曲げ、その先端部を閂孔３３４に差し込むことにより閉じた状態とすることができる。
【００５５】
尚、上述の実施例では、切れ目同士を噛み合わせて両補強板の端部を係合させた例について説明したが、両補強板のうち一方の突合せ側端部にスリット状の係止孔を設け、他方の補強板の端部に係止孔に挿入され、係止される係止突片を一体に備えるようにしてもよい。
【図面の簡単な説明】
【００５６】
【図１】本発明に係る組立式箱の他の一例を示す斜視図である。
【図２】同上の組立式箱の蓋板を開いた状態を示す右背側より見た斜視図である。
【図３】同上の組立式箱の展開図である。
【図４】同上の組立式箱の組立中間工程の状態を示す斜視図である。
【図５】同上の組立式箱の製箱工程の状態を示す斜視図である。
【図６】従来の組立式箱の一例を示す斜視図である。
【図７】同上の展開図である。
【符号の説明】
【００５７】
３００  組立式箱
３０１  底板
３０２〜３０５  折り目
３０６  前側板
３０７  背側板
３０８  左側板
３０９  右側板
３１０  前左側板間連結板
３１１  前右側板間連結板
３１２  背左側板間連結板
３１３  背右側板間連結板
３１４  折り目
３１５  蓋板
３１６  前外側板
３１７  前上縁板
３１８  前内側板
３１９  接着片
３２０  切れ目
３２１，３２２  折り目
３２３  折り目
３２４  逃がし片部
３２５  係止凹部
３２６  側縁係止突起
３２７  抜け止片挿入孔
３２８  切れ目
３２９  抜け止片
３３０，３３１  折り目
３３２  抜け止挿入片
３３３  折り目
３３４  閂孔
３３５  左外側板
３３６  左上縁板
３３７  左内側板
３３８  糊しろ
３３９  挟み込み片
３４０  折り目
３４１  補強板
３４２  切れ目
３４３  右外側板
３４４  右上縁板
３４５  右内側板
３４６  糊しろ
３４７  挟み込み片
３４８  折り目
３４９  補強板
３５０  切れ目
３５１  折り目
３５２  固定部
３５３  可動部
３５４  折り目
３６０  中間組立て部材
【図１】
2005145525.tif 000003
【図２】
2005145525.tif 000004
【図３】
2005145525.tif 000005
【図４】
2005145525.tif 000006
【図５】
2005145525.tif 000007
【図６】
2005145525.tif 000008
【図７】
2005145525.tif 000009